(57)【特許請求の範囲】
【請求項１】
撮像装置の本体に設けられ、前記撮像装置を操作する第１の操作手段と、
前記撮像装置を遠隔操作するための第２の操作手段と、
撮影画像を確認するための表示手段と、
使用者が前記表示手段を覗いていることを検知する検知手段と、
前記検知手段において、前記使用者が前記表示手段を覗いていることが検知されたときには前記第２の操作手段における操作を禁止する制御手段とを有することを特徴とする撮像装置。
【請求項２】
請求項１において、前記検知手段は前記表示手段に接眼したことを検知する接眼検知手段であることを特徴とする撮像装置。
【請求項３】
請求項２において、さらに第１の操作手段及び第２の操作手段のいずれかによって動作制御が実行されているかどうかを判別する判別手段を備え、前記制御手段は前記接眼検知手段により前記使用者の接眼が検知されていないときに前記判別手段において前記撮像装置の動作制御が前記第１の操作手段において実行されていると判別されたときには第２の操作手段における操作を禁止するように構成されていることを特徴とする撮像装置。
【請求項４】
請求項３において、前記制御手段は、前記第２の操作手段により前記撮像装置の動作処理を実行している途中では、前記接眼検知手段により前記使用者の接眼が検知されても、前記第２の操作手段の操作を禁止しないように構成されていることを特徴とする撮像装置。
【請求項５】
請求項４において、前記制御手段は、前記第１の操作手段を優先して前記撮像装置の動作処理を実行することを特徴とする撮像装置。
【発明の詳細な説明】
【０００１】
【発明の属する技術分野】
本発明は接眼検知機能付撮像装置に関するものである。
【０００２】
【従来の技術】
ビデオカメラには撮影状況を使用者が確認できるようにファインダが付随されているのが一般的である。
【０００３】
最近では撮像装置の多機能化、性能向上に向けて、従来から存在するファインダタイプのＥＶＦに加え、視認性を向上するため、大型のカラー液晶表示モニタを搭載されているビデオカメラが市場に普及している。
【０００４】
また、近年ビデオカムコーダー及び銀塩カメラ、またはデジタルスチルカメラなどにおいては、その利便性や小型化に伴う本体スイッチの削減などを目的としてワイヤレスリモートコントローラ（以下リモコンと称す）を用い、そのリモコンから本体へ変調赤外光やＦＭ変調波、などを発信してコマンドを送ることで、本体の操作が可能な製品が多く出現している。
【０００５】
その際、変調赤外光などの信号の送受信感度を高めるため、リモコン側の赤外光の指向角度と本体側の受光角度は、ある程度広いということが一般的である。
【０００６】
【発明が解決しようとする課題】
しかしながら、上記従来の技術において、大型の画像表示モニタは電力の消費が激しく、使用者がファインダを覗いているとき、画像表示モニタが駆動していると、無駄な電力の消費がなされてしまう。このような画像表示モニタの駆動及び停止は使用者が意識してスイッチを操作しなければならず、ファインダを用いての撮影中には画像表示モニタの駆動の停止を忘れてしまうことが多い。
【０００７】
また、リモコンを用いた場合、リモコンからの送信の指向角度が広いことや、リモコンからのコマンド信号が本体まで直進するだけでなく壁などの障害物に反射して送られる場合もあり、広範囲に信号が届く可能性があり、その場合、複数の人間がそれぞれの撮像装置で撮影を行っていた場合、その中の一人の人間がリモコン操作した場合、他の撮像装置がそのリモコンからのコマンドを受信して予期せぬ動作をしてしまうという事態が発生してしまう。
【０００８】
本発明は、上記のような問題を鑑み、電力の消費を大幅に削減し、外部からの信号により誤動作が及ぼされるとなく撮像装置を適切に駆動し、制御することを目的とする。
【０００９】
【課題を解決するための手段】
本発明を解決する手段として、撮像装置の本体に設けられ、前記撮像装置を操作する第１の操作手段と、前記撮像装置を遠隔操作するための第２の操作手段と、撮影画像を確認するための表示手段と、使用者が前記表示手段を覗いていることを検知する検知手段と、前記検知手段において、前記使用者が前記表示手段を覗いていることが検知されたときには前記第２の操作手段における操作を禁止する制御手段とを有することを特徴とする。
【００１０】
【発明の実施の形態】
以下本発明の実施の形態を説明していく。
【００１１】
（第１の実施の形態）
図１は第１の実施の形態の構成図である。
【００１２】
図１において、ＣＰＵによって構成されたシステムコントロール回路１０４は、レンズ撮像系１０８におけるレンズの焦点、絞り等の調節を行い、さらに被写体像を不図示の撮像素子上に撮像する。撮像された被写体像は電気的な画像信号に変換され、さらにカメラ用信号処理回路１２１によりＮＴＳＣ信号などの規格化された映像信号に変換され、磁気テープなどの記録媒体１２２に記録される。
【００１３】
また、１０７は電子ビューファインダ（以下、ＥＶＦと称す。）であり、表示素子１１０とその表示素子１１０を背面から照明するためのバックライト部１１４を備え、更に外部表示手段としては大型パネルを用いた画像表示モニタ１１５内の表示素子１１７とそのバックライト部１１６が設置されている。表示選択手段としての表示選択回路１２０は、ＥＶＦ１０７及び画像表示モニタ１１５の表示の駆動を、後述の接眼検知回路１０３の出力により、選択制御するものである。
【００１４】
ＥＶＦ１０７の前部には、使用者のＥＶＦ１０７への接眼すなわちＥＶＦ１０７を覗いていることを検知するための接眼検知部１００が配置されている。接眼検知部１００は接眼レンズ１０９と、撮影者の目に赤外光を照射する眼球照明用の赤外発光ダイオード１１１と、不図示の赤外発光駆動回路と、可視光を透過し、赤外光を反射するダイクロイックミラー１０５と、このダイクロイックミラー１０５にて反射された赤外光を集光する集光レンズ１０１と、この集光レンズ１０１により集光された赤外光を電気信号に変換するＣＣＤなどの光電変換素子１０２により、電気的な信号に変換された眼球の画像データを基に使用者が接眼しているかどうかを判別する、接眼検知回路１０３とを具備している。
【００１５】
上記のダイクロイックミラー１０５は、可視光を透過するため、撮影者が接眼レンズ１０９を通して映像表示素子１１０の表示面を観察でき、また赤外光を反射するため、赤外発光ダイオード１１１によって照射された使用者の眼球の角膜反射像を反射する。その後、集光レンズ１０１で眼球の角膜反射像は集光されて光電変換素子１０２上に像を結ぶ。
【００１６】
ここで使用者の接眼検知の一例を示す。
【００１７】
図３（ａ）は、光電変換素子上の角膜反射像であり、図によって示したように水平にスライスされて信号が送られていく。図３（ｃ）は光電変換素子１０２の一水平走査期間を示す信号である。図３（ｂ）は光電変換素子１０２からの信号のうち、１水平走査期間に対応した部分を取り出したものであり、白目の部分は出力レベルが高くなり、瞳の部分は出力レベルが低くなる。
【００１８】
図２は接眼検知回路１０３の構成の一例である。また、図４は図２の括弧内数字部の信号のタイミングチャートである。これらの図を用いて接眼検知の動作を説明する。
【００１９】
２０２はスライサであって、可変抵抗２０１で設定されるレベルによって光電変換素子１０２の出力がスライスされ、図４（φ）のような波形を得る。
【００２０】
図４（１）は図４（φ）のインバータ２０６により反転させた信号で、これを微分回路２０７微分すると、図４（２）の信号を得る（撮影者がファインダを覗いているときには、光電変換素子１０２上に映し出された眼球像の瞳の左縁で立ち上がりエッジが検知される。）。
【００２１】
２０５はパルス発振回路であり、図４（３）を生成している（この信号は、図３（ｃ）に相当する。）。図４（２）及び図４（３）をＮＡＮＤゲート２０９に入力すると、図４（４）の信号が得られる。図４（６）は（４）の信号を１水平走査期間ラッチした信号である。
【００２２】
また、図４（７）は、図４（３）の信号を１８０°位相シフタ２１２により１８０°位相をずらした信号であり、この信号を微分回路２１３で微分して図４（８）の信号を得る。
【００２３】
更に、図４（６）、図４（８）の信号をＮＡＮＤ回路２１５に入力すると、図４（４）が変化しているとき、１水平走査期間ごとにこれをラッチする信号図４（９）を得る。
【００２４】
図４（９）は２１７、２１９のＮＡＮＤ回路によって更にラッチされ、最終的に接眼状態で眼球が光電変換素子１０２に映っているとＨｉｇｈレベルとなる信号図４（１３）を得る。
【００２５】
なお、図４（１０）は、インバータ２１６により、図４（８）から得られた信号であり、図４（１１）の信号は、図４（６）の信号と図４（１０）の信号をＮＯＲ回路２１８に入力して得られた信号である。
【００２６】
また、上述のように眼球を判別するというものでなく、単に反射物があるか否かの判別であれば、図２の６０１で構成される回路により判別することができる。図２の６０１を拡大したものが図５（ａ）であり、図５（ｂ）と合わせてその判別を説明する。
【００２７】
スライサ２０２の出力信号である図５（ｂ）の（φ）は波形整形回路２２２を介して図５（ｂ）の（１）の信号となる。
【００２８】
図５（ｂ）の（１）の信号の立ち上がりによって、トランジスタ２２３がＯＮし、このトランジスタを通してコンデンサ２２５の充電電荷が放電する。その放電状態において図５（ｂ）の電位がシュミットトリガ２２６低い方の閾値以下になると、その出力信号である図５（ｂ）の（３）は反転する。
【００２９】
図５（ｂ）の（１）がＬｏｗレベルとなると、トランジスタ２２３はＯＦＦとなり２２５は２２４を通して充電され、図５（ｂ）の（２）のようにの電位は上昇する。
【００３０】
しかしながら、この充電の時定数を、図５（ｂ）の（１）の眼球像の出力周期変化と比較して、このコンデンサ２２５の充電の時定数を、十分に取っておくことにより、図５（ｂ）の（２）のようにシュミットトリガ２２６の高い方の閾値を越えるレベルまで達し得ないので、図５（ｂ）の（３）はＨｉｇｈレベル状態を継続する。
【００３１】
反射物がなくなり図５（ｂ）の（１）がＬｏｗレベルのままであり続けると、コンデンサ２２５の充電によって図５（ｂ）の（２）のレベルが高い方の閾値を上回り、図５（ｂ）の（３）はＬｏｗレベルとなる。
【００３２】
図２においては以上、反射物の判定及びその反射物が眼球であるか否かの判定の２段階の判定を行い、接眼を検知している。
【００３３】
図６は、画像表示処理を適切に実行するためのシステムコントロール回路１０４の処理手順を示すフローチャートであり、図６を用いて図１の撮像装置構成図におけるＥＶＦ１０７及び画像表示モニタ１１５の駆動例を示す。
【００３４】
５０１において電源が投入され、撮像装置が撮影可能状態に入ると、動作処理の実行が開始される。
【００３５】
まず、５０２において接眼検知回路１０３からの出力によりＥＶＦ１０７の前に反射物があるかどうか検知する。
【００３６】
５０３において、反射物がある場合には、その反射物が瞳であるかどうか検知する。
【００３７】
反射物が瞳である場合、５０４で使用者が接眼している、つまりＥＶＦ１０７を覗いていると判断し、５０５でシステムコントロール回路は表示選択回路１２０に指令を発する。表示選択回路１２０はＥＶＦ１０７を駆動させ、更に５０６に置いて画像表示モニタ１１５の駆動を停止させる。このとき、画像表示モニタ１１５の表示素子１１７とバックライト１１６の両方をＯＦＦとしているが、ＯＦＦの後、すぐにＯＮとなったときの立ち上がりを考え、消費電力の大きいバックライト１１６のみをＯＦＦにする構成としても良い。
【００３８】
一方、５０２で反射物がないと判断された場合、または５０３で反射物が瞳でないと判断された場合には、５０７で使用者がＥＶＦ１０７を覗いていないと判断し、５０９において表示選択回路１２０は画像表示モニタ１１５を駆動させ、更に５０８でＥＶＦ１０７の動作を停止させる。この場合も表示素子１１０とバックライト１１４の両方をＯＦＦにするが、バックライト１１４のみＯＦＦにしても良い。
【００３９】
このように、使用者がＥＶＦ１０７を覗いている場合には自動的に画像表示モニタ１１５の駆動を停止してＥＶＦ１０７を駆動させ、更に使用者がＥＶＦ１０７を覗いていない場合にはＥＶＦ１０７の駆動を停止して画像表示モニタ１１５を駆動させることにより、常に使用している表示手段のみを動作させることができ、操作の簡便化を図りながら電力消費量の増大を回避することができる。
【００４０】
尚、接眼検知に瞳の検出を行っているため、確実に人間が覗いているときのみＥＶＦ１０７をＯＮにし、他の障害物ではＯＮしないようにすることができ、動作が確実である。
【００４１】
（第２の実施の形態）
上述の第１の実施の形態においては瞳の検知を行い、接眼を正確に検知する実施の形態であるが、回路を簡素化するために反射物の有無のみを検知するものでも良い。
【００４２】
このような接眼検知回路は図５（ａ）のようになっており、その動作は上述した通りである。
【００４３】
図７は、このような反射物の有無のみを検知する、本実施の形態による撮像装置の動作処理を行うシステムコントロール回路１０４の処理のフローチャートであります。このフローチャートによって本実施の形態を説明していく。
【００４４】
７０１において撮像装置の動作処理の実行が開始し、７０２において接眼検知回路１０３からの出力によりＥＶＦ１０７の前に反射物があるかどうか検知する。反射物があると検知されたとき、使用者が接眼している、つまりファインダを覗いていると判断し（７０４）、７０５でシステムコントロール回路１０４は表示選択回路１２０に指令を発する。それによって表示選択回路１２０はＥＶＦ１０７を駆動させ、更に７０６に置いて画像表示モニタ１１５の駆動を停止させる。
【００４５】
一方、７０２で反射物がないと判断された場合、７０７で使用者がＥＶＦ１０７を覗いていないと判断し、７０９において表示選択回路１２０は画像表示モニタ１１５を駆動させ、更に７０８でＥＶＦ１０７の動作を停止させる。
【００４６】
（第３の実施の形態）
図９は上述の実施の形態よりも単純な構造により接眼検知を行うものであり、９００は本実施の形態の接眼検知のユニットである。
【００４７】
８０２、８０３、８０５は接点であり、８０６は蛇腹構造のアイカップである。
【００４８】
撮影者がＥＶＦ１０７に接眼すると、アイカップ８０６が押しつけられて接点８０２、８０３、８０５が導通する。
【００４９】
このような接眼検知ユニット９００の信号を受けて、システムコントロール回路１０４はＥＶＦ１０７及び画像表示モニタ１１５の駆動を制御する。接眼検知ユニット９００の以外の撮像装置の構成は同じなので他の説明は省略する。
【００５０】
接眼検知ユニット９００の出力に基づく後の処理は前述の第１の実施の形態と同様である。
【００５１】
（第４の実施の形態）
図９は第４の実施の形態に置ける撮像装置の斜視図である。
【００５２】
第４の実施の形態における撮像装置において、画像表示モニタ９０３は、接続部材９０４を介して撮像装置本体９０５側に接続されている。
【００５３】
画像表示モニタ９０３は、接続軸部材９０４ａ及び９０４ｂにより、同図にｘ，ｙで示す２方向に回動可能に支持されている。これによって使用者側からも被写体側からも視認できるように可動する。
【００５４】
つまり、接続軸部材９０４ｂすなわち矢印ｙの方向に回動することによって、撮像装置本体９０５の側面に対して開閉自在に配され、更に回動軸９０４ａすなわち矢印ｘ方向に回動することによって表示面を使用者側と被写体側に回動可能である。
【００５５】
例えば、図９（ａ）の画像表示モニタ９０３は撮像装置本体９０５側に収納されている収納状態である。
【００５６】
図９（ｂ）、図９（ｃ）、図９（ｄ）の画像表示モニタの状態は表示確認状態にあるが、図９（ｂ）の画像表示モニタ９０３は、図９（ａ）の収納状態から接続軸部材９０４を中心として反転させ、画像確認可能としている。
【００５７】
更に本実施の形態の撮像装置は画像表示モニタ９０３を図９（ａ）の収納状態から図９（ｃ）のように接続軸部材９０４によって可動し、このとき、画像表示モニタ９０３は、使用者側に向いており、使用者は画像表示モニタ９０３を見ながら撮影をすることができる。
【００５８】
また、接続軸部材９０４を中心として、画像モニタ９０３を図９（ｃ）の第２の位置の使用者方向から図９（ｄ）のように被写体方向の第１の位置に向けながら、つまり、被写体側で撮影画像を確認しながら撮影を可能とする。
【００５９】
図１０は、図９のような撮像装置において、ＥＶＦ９０２及び画像表示モニタ９０５の表示動作の駆動を示したフローチャートである。図１０に沿って、図９のような撮像装置の表示制御動作を説明していく。
【００６０】
１００１において撮像装置の動作処理の実行が開始される。まず、１００２において接眼検知回路１０３からの出力によりＥＶＦ９０２の前に反射物があるかどうか検知する。１００３において、反射物がある場合には、その反射物が瞳であるかどうか検知する。
【００６１】
反射物が瞳である場合、１００４で使用者が接眼している、つまりＥＶＦ９０２を覗いていると判断される。
【００６２】
そのとき、画像表示モニタ９０３が被写体方向を向いているかどうかを検知し（１００５）、被写体方向を向いていないとき、表示選択回路１２０はＥＶＦ９０２を駆動させ、更に５０６に置いて画像表示モニタ９０３の駆動を停止させる。しかし、画像表示モニタ９０３が被写体方向を向いている第１の位置のときには、表示選択回路１２０はＥＶＦ９０２を駆動させ、更に画像表示モニタ９０３をも表示させる。この処理が請求項８の動作である。
【００６３】
一方、１００２で反射物がないと判断された場合、または１００３で反射物が瞳でないと判断された場合には、１０１０で使用者がＥＶＦ９０２を覗いていないと判断する。
【００６４】
そのとき、画像表示モニタ９０３が収納状態であるかどうかを検知し（１０１１）、画像表示モニタ９０３が収納状態であるとき、ＥＶＦ９０２を停止させ（１０１２）、更に画像表示モニタ９０３を停止させる（１０１４）。この処理が請求項７の動作である。
【００６５】
画像表示モニタ９０３が収納状態でないときは、ＥＶＦ９０２を停止し（１０１４）、画像表示モニタ９０３を駆動させる（１０１５）。
【００６６】
以上説明したように、ＥＶＦ９０２及び画像表示モニタ９０３双方の表示手段を、接眼検知を用いて適切に駆動制御しているので、撮像装置の操作が容易となり、また撮像装置の電力消費の削減につながる。
【００６７】
尚、上記では接眼検知により、ＥＶＦ９０２及び画像表示モニタ９０３の全体のユニットの駆動を制御するかもしくはＥＶＦ９０２及び画像表示モニタ９０３の表示のバックライトのみを制御する。
【００６８】
（第５の実施の形態）
図１１は第５の実施の形態の構成図である。
【００６９】
図１１において、ＣＰＵによって構成されたシステムコントロール回路１１０４は、レンズ撮像系１１０８におけるレンズの焦点、絞りの調節等を行い、さらに被写体像を不図示の撮像素子上に撮像する。撮像された被写体像は電気的な画像信号に変換され、さらにカメラ用信号処理回路１１２１によりＮＴＳＣ信号などの規格化された映像信号に変換され、磁気テープなどの記録媒体１１２２に記録される。
【００７０】
また、１１１０は撮影映像を表示させるＬＣＤなどの表示素子であり、表示回路１１０６は撮影モードなど使用者に必要な情報を撮影映像と共に表示素子１１１０に表示させたりする回路である。ここでは、表示素子１１１０を照明するバックライト部は省略する。
【００７１】
操作手段判別回路１１２４は、遠隔操作を可能とするリモートコントロール（以下、リモコンと称す）１１２６によって発信されたコマンド信号であるか、または本体側操作手段１１２５で発信されたコマンド信号であるかどうかを判別し、システムコントロール回路１１０４にコマンド信号及びリモコン１１２６または本体側操作手段１１２６のいずれかの操作手段により発信されたものなのかを伝える。
【００７２】
表示素子１１１０を含むＥＶＦ１１０７の前部には接眼検知部１００が配置されている。この接眼検知部１００の動作説明は第１の実施の形態で説明したのでここでは省略する。
【００７３】
図１２は本実施の形態の動作処理を実行するためのシステムコントロール回路１１０４の処理手順を示すフローチャートであり、図１２を用いて撮像装置の操作例を示す。
【００７４】
１２０１においてシステムコントロール回路１１０４の実行が開始される。まず、操作手段判別回路１１２４において、発信された信号がリモコン１１２６からのコマンド信号か、本体側操作からのコマンド信号であるかどうかを判別する（１２０２）。
【００７５】
本体側操作手段１１２５からのコマンド信号であると判別された場合、リモコン送受信回路１１２３からの動作信号の受付を禁止する（１２０８）。
【００７６】
また、リモコン送受信回路１１２３からのコマンド信号による動作処理と判別されたとき、システムコントロール手段１１０４は、接眼検知回路１１０３からまず反射物が存在するかどうかを判定する（１２０７）。
【００７７】
反射物が存在しないと判定されたとき、使用者が接眼をしていないと検知され、リモコン１１２６からのコマンド信号の受付を許可する（１２０８）。ただし接眼が検出されていなくても本体側の操作手段１１２５による動作処理がなされているときはリモコン１１２６からのコマンド信号の受付を禁止する（１２１１）。
【００７８】
１２０３において、反射物があると判定されたとき、瞳のエッジが検知されたかどうかを判定する（１２０４）。
【００７９】
瞳のエッジが検知されなかった場合、やはり１２０８において使用者が接眼していないと判断され、リモコン送受信回路１１２３からのコマンド信号の受付を許可する。
【００８０】
１２０４において瞳のエッジが検知されたとき、使用者はＥＶＦ１１０７に接眼していると判断され、リモコンからのコマンド信号の受付を禁止する（１２０６）。これらの処理が請求項１２の制御手段の動作である。
【００８１】
しかし、例外として、既にリモコン送受信回路１１２３によって撮像装置の動作処理がなされている途中は、接眼が検知されてもリモコン送受信回路１１２３からのコマンド信号の受け付けを禁止しないでおく（１２０９）。しかし、本体側の操作手段が操作された場合は本体側の操作手段を優先させる（１２１０）。
【００８２】
このとき、リモコン送受信回路１１２３の操作禁止方法は、本体側において受け付けを禁止してもよいし、本体側からリモコン送受信回路１１２３へ操作を禁止する信号を発信してもよい。
【００８３】
上述のように装置を構成することにより、その装置の撮影者が、リモコンを用いる可能性の極めて低い、ＥＶＦを覗いている場合には、自動的にリモコンからの信号を受け付けなくなるので、その装置の使用者以外の人間のリモコン操作による撮像装置の動作処理を回避でき、スムーズな撮影ができる。
【００８４】
上述した第５の実施の形態においては瞳の検知を行い、接眼を正確に検知する実施の形態であるが、回路を簡素化するために、反射物の有無のみを検知するものでも良い。このような反射物の有無のみを検知した実施の形態のフローチャートを図１３に示す。図１３においては図１２と比較して瞳像を検知していないこと以外は同じなので説明を省略する。
【００８５】
また、接眼検知においては、図８のような接眼検知のユニット９００を用いてもよい。
【００８６】
【発明の効果】
本発明によれば、検知ユニットで使用者がファインダを覗いていることを検知することにより、画像表示可能な画像表示モニタの駆動を禁止しているので、撮像装置の操作が容易で不必要な電力を、使用していない表示手段のために消費することがなくなる。
【００８７】
また、使用者が撮像装置のＥＶＦを覗いているときには、リモコンからの操作が禁止されるので、誤操作によって装置が予期せぬ動作を実行してしまうという事態を回避できる。
【００８８】
また、リモコン側からのコマンド信号により、撮像装置が作動していれば、接眼を検知していてもリモコンからの操作を禁止することがないのでスムーズな撮像装置の撮影が可能となる。
【図面の簡単な説明】
【図１】本発明の第１の実施の形態おける構成概略図。
【図２】本発明による接眼検知回路の一例を示す図。
【図３】（ａ）は光電変換素子上の角膜反射像、
（ｂ）は１水平走査期間に対応した角膜反射像の信号、
（ｃ）は光電変換素子の１水平走査期間を示す信号をそれぞれ表す図。
【図４】図２の各部における電気信号を示す図。
【図５】（ａ）は反射物検知回路、
（ｂ）は図５（ａ）の各部の電気信号をそれぞれ表す図。
【図６】本発明における第１の実施の形態の撮像装置の表示制御のフローチャート。
【図７】本発明における第２の実施の形態の撮像装置の表示制御のフローチャート。
【図８】本発明における第３の実施の形態における撮像装置の構成概略図。
【図９】本発明における第４の実施の形態の撮像装置の斜視図。
【図１０】本発明における第４の実施の形態の撮像装置の表示制御のフローチャート。
【図１１】本発明における第５の実施の形態の撮像装置の構成概略図。
【図１２】本発明における第５の実施の形態の撮像装置の動作のフローチャート。
【図１３】本発明における第５の実施の形態の接眼検知において反射物のみを検知する場合の撮像装置の動作のフローチャート。
【符号の説明】
１００  接眼検知部
１０４  システムコントロール回路
１０７  ＥＶＦ
１１１  赤外発光ダイオード
１１５  画像表示モニタ
１１２４  操作手段判別回路
１１２５  本体側操作手段
１１２６  リモートコントロール
【図１】
0003870166.tif 000002
【図２】
0003870166.tif 000003
【図３】
0003870166.tif 000004
【図４】
0003870166.tif 000005
【図５】
0003870166.tif 000006
【図６】
0003870166.tif 000007
【図７】
0003870166.tif 000008
【図８】
0003870166.tif 000009
【図９】
0003870166.tif 000010
【図１０】
0003870166.tif 000011
【図１１】
0003870166.tif 000012
【図１２】
0003870166.tif 000013
【図１３】
0003870166.tif 000014